Podtech/llm-jp-corpus-v4-ja_patent huggingface dataset:
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
ジャックの第１端子を、接地接続点に選択的に接続するように構成された第１接地スイッチ(81)と、
前記ジャックの第２端子を、前記接地接続点に選択的に接続するように構成された第２接地スイッチ(82)と、
前記ジャックの前記第１端子を、マイクロフォンノードに選択的に接続するように構成された第１マイクロフォンスイッチ(83)と、
前記ジャックの前記第２端子を、前記マイクロフォンノードに選択的に接続するように構成された第２マイクロフォンスイッチ(84)であって、前記スイッチ(81, 82, 83, 84)は、前記ジャックが北米タイプとして検知されるかまたは欧州タイプとして検知されるかに応じて構成される、第２マイクロフォンスイッチ(84)と、
前記ジャックが前記北米タイプとして検知されるかまたは前記欧州タイプとして検知されるかに基づき、前記ジャックの前記第１端子または前記第２端子のいずれかを選択的に接地検出入力に選択的に接続するための手段と
を含む、装置。
【請求項２】
前記選択的に接続するための手段が、
第１接地検出スイッチを前記ジャックの前記第１端子に接続する第１インダクタと、
第２接地検出スイッチを前記ジャックの前記第２端子に接続する第２インダクタと、
前記第１インダクタと前記第１接地検出スイッチとの間の接続点を接地に接続する第１キャパシタと、
前記第２インダクタと前記第２接地検出スイッチとの間の接続点を接地に接続する第２キャパシタと
を含む、請求項１に記載の装置。
【請求項３】
前記ジャックの左および右のオーディオ端子を駆動するための手段をさらに含む、請求項１に記載の装置。
【請求項４】
左および右のオーディオチャンネル増幅器をさらに含み、
前記増幅器の各々は、
正入力、負入力、および出力を有する差動増幅器と、
前記負入力に接続される第１抵抗器と、
前記正入力に接続される第２抵抗器と、
前記出力を前記負入力に接続する第３抵抗器と、
前記正入力を前記接地検出入力に接続する第４抵抗器と
を含むことを特徴とする請求項２に記載の装置。
【請求項５】
複数の前記スイッチが、単一のチップ上に統合されており、
前記単一のチップは、前記左および右のオーディオチャンネル増幅器のための回路をさらに含む、請求項４に記載の装置。
【請求項６】
前記左および右のオーディオチャンネル増幅器が、集積回路上に設けられ、
複数の前記スイッチが、前記集積回路から離れて設けられる、請求項４に記載の装置。
【請求項７】
前記第１インダクタおよび前記第２インダクタが、フェライトビーズを含む、請求項４に記載の装置。
【請求項８】
前記ジャックの前記第１端子および前記第２端子に接続されたＦＭ無線処理回路をさらに含む、請求項４に記載の装置。
【請求項９】
複数の前記スイッチおよび前記選択的に接続するための手段が、単一の集積回路上に設けられており、
前記集積回路は、
前記第１接地スイッチの出力、および前記第１マイクロフォンスイッチの出力を接続するための手段と、
前記第２接地スイッチの出力、および前記第２マイクロフォンスイッチの出力を接続するための手段と
をさらに含む、請求項１に記載の装置。
【請求項１０】
前記スイッチ、前記選択的に接続するための手段、および前記接続するための手段を収容するための基板をさらに含む、請求項９に記載の装置。
【請求項１１】
６つの前記スイッチが、オーディオコーデックを収容する集積回路から離れて設けられており、
前記装置が、
前記第１接地スイッチの出力に接続される第１物理ピンと、
前記第１マイクロフォンスイッチの出力に接続される第２物理ピンと、
前記第２接地スイッチの出力に接続される第３物理ピンと、
前記第２マイクロフォンスイッチの出力に接続される第４物理ピンと、
前記第１接地検出スイッチの出力に接続される第５物理ピンと、
前記第２接地検出スイッチの出力に接続される第６物理ピンと
をさらに具備し、
前記第１物理ピンおよび前記第２物理ピンが、互いに電気的に接続され、
前記第３物理ピンおよび前記第４物理ピンが、互いに電気的に接続される、請求項２に記載の装置。
【請求項１２】
前記スイッチ、ピン、およびジャックを収容するため基板をさらに含み、
前記第５物理ピンが、前記ジャックに近接する位置で前記ジャックの前記第１端子に電気的に接続され、
前記第６物理ピンが、前記ジャックに近接する位置で前記ジャックの前記第２端子に電気的に接続される、請求項１１に記載の装置。
【請求項１３】
第１接地スイッチを使用して、ジャックの第１端子を、接地接続点に選択的に接続するステップと、
第２接地スイッチを使用して、前記ジャックの第２端子を、前記接地接続点に選択的に接続するステップと、
第１マイクロフォンスイッチを使用して、前記ジャックの前記第１端子を、マイクロフォンノードに選択的に接続するステップと、
第２マイクロフォンスイッチを使用して、前記ジャックの前記第２端子を、前記マイクロフォンノードに選択的に接続するステップと、
第１接地検出スイッチを使用して、前記ジャックの前記第１端子を、接地検出入力に選択的に接続するステップと、
第２接地検出スイッチを使用して、前記ジャックの前記第２端子を、前記接地検出入力に選択的に接続するステップと
を有し、
前記スイッチは、前記ジャックが北米タイプとして検知されるかまたは欧州タイプとして検知されるかに応じて選択的に接続される、方法。
【請求項１４】
第１インダクタを使用して、前記第１接地検出スイッチを、前記ジャックの前記第１端子に接続するステップと、
第１キャパシタを使用して、前記第１インダクタと前記第１接地検出スイッチとの間の接続点を、接地に接続するステップと、
第２インダクタを使用して、前記第２接地検出スイッチを、前記ジャックの前記第２端子に接続するステップと、
前記第２インダクタと前記第２接地検出スイッチとの間の接続点を、接地に接続するステップと
をさらに有する、請求項１３に記載の方法。
【請求項１５】
複数の前記スイッチが、単一のチップ上に統合されており、
前記単一のチップは、左および右のオーディオチャンネル増幅器のための回路をさらに含む、請求項１３に記載の方法。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ノズル通路を画定する少なくとも１つの壁を含むハウジングであって、前記ノズル通路は、前記少なくとも１つの壁の上流部分に隣接してベントを有する、ハウジング；
複数の光触媒媒体と、前記光触媒媒体の少なくとも一部分を照明して光触媒反応を生じ、複数のヒドロキシルラジカルを生成するように配置された光源とを含む光触媒反応室；及び
前記光触媒反応室に流体的に結合され、前記光触媒反応室を通るように空気を運び、且つ前記空気を、前記ベントを通るように及び前記少なくとも１つの壁の少なくとも一部分に沿うように方向付けるようにする送風器
を含む装置。
【請求項２】
前記ノズル通路が、前記ベントに隣接してコアンダ表面を含む、請求項１に記載の装置。
【請求項３】
前記少なくとも１つの壁の第１の部分が、前記ベントから下流の前記ノズル通路の軸から外側に逸れている、請求項１又は２に記載の装置。
【請求項４】
前記少なくとも１つの壁の第２の部分が、前記壁の前記第１の部分から下流の前記ノズル通路の前記軸に対して、前記壁の前記第１の部分から外側に逸れている、請求項３に記載の装置。
【請求項５】
前記ハウジングが、前記ノズル通路を画定する少なくとも２つの概して対向する壁を含み、各壁が、各壁に隣接し且つ各壁の上流部分にベントを含む、請求項１から４のいずれか一項に記載の装置。
【請求項６】
前記ノズル通路が略四角形の断面を有する、請求項５に記載の装置。
【請求項７】
前記ハウジングが、前記ノズル通路を少なくとも部分的に囲むハウジング内部を画定し、前記光触媒反応室及び前記送風器が前記ハウジング内部に少なくとも部分的に配置される、請求項１から６のいずれか一項に記載の装置。
【請求項８】
前記ハウジングが、さらに、前記送風器、前記光触媒反応室、及び前記ベントを流体的に結合する通路を画定する、請求項７に記載の装置。
【請求項９】
前記光触媒反応室が、取り外し可能な反応室カートリッジを含み、前記複数の光触媒媒体及び前記光源が、前記反応室カートリッジ内に少なくとも部分的に含まれる、請求項７に記載の装置。
【請求項１０】
前記光触媒媒体が、光触媒物質を含む微孔性ナノ粒子膜で被覆された媒体基板を含む、請求項１から９のいずれか一項に記載の装置。
【請求項１１】
前記光触媒物質がＴｉＯ２を含み、及び前記光源が、約４００ｎｍ未満の波長の紫外線光を放出する、請求項１０に記載の装置。
【請求項１２】
前記光触媒物質が、ＺｎＯ及びＷＯ３の少なくとも一方を含み、及び前記光源が、可視スペクトルの光を放出する、請求項１０に記載の装置。
【請求項１３】
前記送風器が、前記光触媒反応室に前記空気を押し込むように構成されている、請求項１から１２のいずれか一項に記載の装置。
【請求項１４】
前記送風器が、前記光触媒反応室から前記空気を引き出すように構成されている、請求項１から１３のいずれか一項に記載の装置。
【請求項１５】
ノズル通路の上流部分に隣接して少なくとも１つのコアンダエグゾーストを有する前記ノズル通路を画定するハウジング；
前記ハウジングによって画定された内部に少なくとも部分的に配置され、且つ前記ハウジングに取り外し可能に結合された光触媒反応室カートリッジであって、複数の光触媒媒体と、光触媒媒体の少なくとも一部分を照明して、前記光触媒媒体の光触媒反応から複数のヒドロキシルラジカルを生成するように配置された光源とを含む光触媒反応室を含む、光触媒反応室カートリッジ；
前記ハウジングによって画定された前記内部に少なくとも部分的に配置され、且つ前記光触媒反応室カートリッジ及び前記少なくとも１つのコアンダエグゾーストに流体的に結合されて、前記光触媒反応室を通って前記少なくとも１つのコアンダエグゾーストから出るように空気を運ぶようにする送風器
を含む装置。
【請求項１６】
前記光触媒媒体が、光触媒物質の微孔性ナノ粒子膜で被覆された基板を含む、請求項１５に記載の装置。
【請求項１７】
前記光触媒媒体がＴｉＯ２光触媒物質を含み、及び前記光源が、約４００ｎｍ未満の波長の光を放出するＵＶ光源を含む、請求項１６に記載の装置。
【請求項１８】
前記光触媒媒体が、ＺｎＯ及びＷＯ３の光触媒物質の一方を含み、及び前記光源が、可視スペクトルの光を放出する、請求項１６に記載の装置。
【請求項１９】
前記ハウジングが、略矩形断面を有する前記ノズル通路を画定する４つの壁を含む、請求項１５から１８のいずれか一項に記載の装置。
【請求項２０】
前記ノズル通路を画定する２つの概して対向する壁に関連付けられた少なくとも２つの概して対向するコアンダエグゾーストを含む、請求項１９に記載の装置。
【請求項２１】
２つの光触媒反応室カートリッジと、前記２つの概して対向するコアンダエグゾーストの各々に関連付けられた１つの光触媒反応室カートリッジとを含む、請求項２０に記載の装置。
【請求項２２】
略矩形断面を有するノズル通路を画定する４つの壁を含むハウジングであって、２つの対向する壁が、前記ノズル通路の上流部分に隣接して、それぞれコアンダエグゾーストを含む、ハウジング；
前記ハウジングによって画定された内部に少なくとも部分的に配置され、且つ前記ハウジングに取り外し可能に結合された光触媒反応室カートリッジであって、複数の光触媒媒体と、光触媒媒体の少なくとも一部分を照明して、前記光触媒媒体の光触媒反応から複数のヒドロキシルラジカルを生成するように配置された光源とを含む光触媒反応室を含む、光触媒反応室カートリッジ；
前記ハウジングによって画定された前記内部に少なくとも部分的に配置され、且つ前記光触媒反応室カートリッジ及び前記少なくとも１つのコアンダエグゾーストに流体的に結合されて、前記光触媒反応室を通って前記少なくとも１つのコアンダエグゾーストから出るように空気を運ぶようにする送風器
を含む装置。
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
細胞運動及び／又は特質を評価する方法であって、
複数の細胞の画像に対応する画像データを受信するステップと、
前記複数の細胞に関連する運動パターンに基づいて、前記画像データを複数のクラスタにセグメンテーションするステップと、
前記複数のクラスタの各々のクラスタにおける画像データから、前記クラスタのリズム周波数（rhythm frequency）に関連する周期運動を含む運動信号を抽出するステップと、
各クラスタからの前記運動信号に基づいて細胞運動特質又は細胞学的性質のうちの少なくとも１つを評価するステップと
を含む方法。
【請求項２】
細胞運動又は細胞学的性質のうちの少なくとも１つの評価に基づいて複数の細胞に対して適用された１つ以上の処置の効果を測定するステップを含む、請求項１記載の方法。
【請求項３】
画像データをセグメンテーションするステップが、
静止成分を除去するステップと、
画像データの特徴を抽出するステップと、
特徴に基づいて複数のクラスタを識別するステップと
を含む、請求項１又は２に記載の方法。
【請求項４】
画像データが非重複ブロックに分割される、請求項３記載の方法。
【請求項５】
各非重複ブロックが、前景又は背景の特質を有する画素の一部に基づいて前景ブロック又は背景ブロックとして識別される、請求項４記載の方法。
【請求項６】
前記画像データの特徴を抽出するステップが、前記前景ブロックの特徴を抽出するステップを含む、請求項４記載の方法。
【請求項７】
各非重複ブロックが、単一の画素を含む、請求項４〜６のうちのいずれか一項に記載の方法。
【請求項８】
前記画像データの特徴を抽出するステップが、前記画像データのテクスチャベースの特徴又は強度ベースの特徴を抽出するステップを含む、請求項３〜７のうちのいずれか一項に記載の方法。
【請求項９】
前記画像データの特徴を抽出するステップが、自己相関関数を含む、請求項３〜８のうちのいずれか一項に記載の方法。
【請求項１０】
前記画像データの特徴を抽出するステップが、テクスチャベースの特徴若しくは強度ベースの特徴のスペクトルのプロファイル、又は画像データの自己相関関数を抽出するステップを含む、請求項３〜９のうちのいずれか一項に記載の方法。
【請求項１１】
前記複数のクラスタの数は、前記セグメンテーションの前に求められていない、請求項１〜１０のうちのいずれか一項に記載の方法。
【請求項１２】
画像が、映像のフレーム又は連続する周期的な画像のセットを含む、請求項１〜１１のうちのいずれか一項に記載の方法。
【請求項１３】
前記複数の細胞が、始原細胞又は筋細胞のうちの少なくとも１つを含む、請求項１〜１２のうちのいずれか一項に記載の方法。
【請求項１４】
１つ以上の有形的コンピュータ読み取り可能なメディア上に提供されるコンピュータプログラムであって、
複数の細胞の経時的に取得された画像に対応する画像データを受信するための第1の処理と、
前記複数の細胞に関連する運動パターンに基づいて、前記画像データを複数のクラスタにセグメンテーションするための第２の処理であって、個々のクラスタは、前記複数の細胞の一部分のみを表し、前記画像データは、前記複数のクラスタにセグメンテーションされる前に運動成分に分離されない第２の処理と、
前記複数のクラスタの各々のクラスタから、前記クラスタのリズム周波数（rhythm frequency）に関連する周期運動を含む運動信号を抽出するための第
３の処理と、
各クラスタからの前記運動信号に基づいて細胞運動特質又は細胞学的性質のうちの少なくとも１つを評価するための第４の処理と、
前記複数のクラスタの細胞運動特質を示す出力を生成するための第５の処理と、
を実行するための実行可能命令を記憶するメモリ
を備えるコンピュータプログラム。
【請求項１５】
複数のクラスタ内に画像データをセグメンテーションするように構成された命令が、可能性のあるクラスタを反復して識別するように構成された学習アルゴリズムを備える、請求項１４記載のコンピュータプログラム。
【請求項１６】
学習アルゴリズムが、複数のクラスタの１つに対して各前景画素を割り当てるように構成される、請求項１５記載のコンピュータプログラム。
【請求項１７】
運動信号を抽出するように構成された命令が、個々のクラスタの画像強度の主成分の分析を実行する命令を備える、請求項１４〜１６のうちのいずれか一項に記載のコンピュータプログラム。
【請求項１８】
光学的に複数の細胞を解析するように構成された画像装置と、
前記画像装置を介して前記複数の細胞の画像を取得するように構成されたデータ取得回路と、
前記複数の細胞に関連する運動パターンに基づいて、前記複数の細胞の画像からの画像データを複数のクラスタにセグメンテーションし、個々のクラスタにおける画像データから、前記クラスタのリズム周波数（rhythm frequency）に関連する周期運動を含む運動信号を抽出し、個々のクラスタの前記運動信号に基づいて細胞運動特質又は細胞学的性質のうちの少なくとも１つを評価するように構成されたデータ処理回路と、
を備える画像解析システム。
【請求項１９】
前記運動信号を抽出するように構成されたデータ処理回路が、前記運動信号を抽出するための入力として運動フィールドデータを用いない、請求項１８記載の画像解析システム。
【請求項２０】
個々のクラスタの画像データが、前記画像データの非静止成分を含む、請求項１８又は１９に記載の画像解析システム。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
シャーシ、
前記シャーシの一部に回転可能に取り付けられる構成要素、及び
前記構成要素の一部を前記シャーシの前記一部に取り付ける少なくとも１つのヒンジ、を有し、
前記ヒンジは、前記ヒンジの外側に回転中心を含む、
装置。
【請求項２】
前記ヒンジは、前記構成要素が、前記シャーシを支持するように１又は複数の規定の位置で開かれることを可能にする１又は複数の停止位置を含む、請求項１に記載の装置。
【請求項３】
前記構成要素は、前記シャーシに対して前記構成要素の少なくとも１つの端部を安定化させる磁気安定化装置を含む、請求項１に記載の装置。
【請求項４】
前記構成要素は、前記構成要素と前記シャーシが位置する表面との間の振動の伝達を減少させる１又は複数の表面接触部を含む、請求項１に記載の装置。
【請求項５】
前記構成要素は、前記構成要素の振動を減少させる１又は複数のダンパーを含む、請求項１に記載の装置。
【請求項６】
前記構成要素は、前記構成要素が前記シャーシの前記一部から取り外されることができるように、前記少なくとも１つのヒンジに取り外し可能に取り付けられる、請求項１に記載の装置。
【請求項７】
前記構成要素の幅は、前記コンピュータ装置が縦向きに置かれるとき、前記シャーシが前記シャーシの前面から離れる方に倒れて前記構成要素の前記一部に支えられるように、前記シャーシの前記前面の幅より狭い、請求項１に記載の装置。
【請求項８】
前記回転中心は、前記構成要素が閉位置にあるとき、前記シャーシの輪郭に一致するように、前記構成要素の隣接する端部と前記シャーシとの間のシームに実質的に一致する、請求項１に記載の装置。
【請求項９】
前記装置は、コンピュータ装置を有し、前記コンピュータ装置は、前記コンピュータ装置に対して複数の向きに置かれることができる入力装置に物理的に取り付けられるように構成され、前記構成要素は、前記入力装置を介して前記コンピュータ装置に入力を提供することができるように、前記コンピュータ装置をタイピング向きで支持するように構成される、請求項１に記載の装置。
【請求項１０】
前記構成要素及び前記シャーシに取り付けられ、前記構成要素の動作の間に前記構成要素の端部を安定させるように構成される、他のヒンジをさらに含む、請求項１に記載の装置。
【請求項１１】
キックスタンドをコンピュータ装置に動作可能に取り付けるように構成される第１のヒンジであって、前記第１のヒンジは、前記第１のヒンジの外側に回転中心を有するとともに前記キックスタンドが１又は複数の規定の位置で開かれることができるように１又は複数の停止位置を含み、前記第１のヒンジは、前記キックスタンドが閉位置にあるとき前記キックスタンドが前記コンピュータ装置の表面輪郭に一致するように、構成される、第１のヒンジ、並びに
前記キックスタンド及びコンピュータ装置に取り付けられ、前記第１のヒンジでの前記キックスタンドの動作の間、前記キックスタンドの端部に圧力を加えることによって前記キックスタンドの前記端部を安定させるように構成される、第２のヒンジ、を有する、
取り付けアセンブリ。
【請求項１２】
前記キックスタンドの隣接する端部と前記コンピュータ装置との間のシームが、前記キックスタンドの動作の間、維持される、請求項１１に記載の取り付けアセンブリ。
【請求項１３】
前記回転中心は、前記シームの中心軸と実質的に一致する、請求項１２に記載の取り付けアセンブリ。
【請求項１４】
前記第２のヒンジは、前記キックスタンドの動作の間、前記キックスタンドの前記端部への圧力を維持する少なくとも滑り機構を介して前記キックスタンドの前記端部を安定させるように構成される、請求項１１に記載の取り付けアセンブリ。
【請求項１５】
前記コンピュータ装置は、前記コンピュータ装置に対して複数の向きに置かれることができる入力装置に物理的に取り付けられるように構成され、前記停止位置の少なくとも１つは、前記入力装置を介して前記コンピュータ装置に入力を提供することができるように、前記キックスタンドが前記コンピュータ装置をタイピング向きで支持することを可能にする、前記キックスタンドに対する規定の位置に対応する、請求項１１に記載の取り付けアセンブリ。
【請求項１６】
コンピュータ装置であって、
入力装置に通信可能に連結されるように構成されるハウジング、及び
前記ハウジングの後面に動作可能に取り付けられるとともに前記コンピュータ装置の複数の向きをサポートするように複数の開位置に開かれるように構成されるキックスタンド、を有し、
前記キックスタンドは、外部の回転中心を持つ少なくとも１つのヒンジを介して前記ハウジングの前記後面に取り付けられる、
コンピュータ装置。
【請求項１７】
前記ヒンジが前記開位置の１又は複数の回転されるとき、前記キックスタンドの隣接する端部と前記ハウジングの前記後面との間のシームの幅が、実質的に維持される、請求項１６に記載のコンピュータ装置。
【請求項１８】
前記キックスタンドは、前記キックスタンドの回転の間、前記キックスタンドの前記端部を安定させるように、前記キックスタンドの端部に圧力を加える少なくとも１つの他のヒンジを介して、前記ハウジングの前記後面に取り付けられる、請求項１７に記載のコンピュータ装置。
【請求項１９】
前記キックスタンドが閉位置にあるとき、前記コンピュータ装置の前記後面に対して前記キックスタンドの端部を安定させる磁気安定化機構をさらに含む、請求項１６に記載のコンピュータ装置。
【請求項２０】
前記キックスタンドは、閉位置にあるとき、前記コンピュータ装置の前記後面の複数の外縁に合うように構成される、請求項１６に記載のコンピュータ装置。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
コンピュータ装置の表示装置の少なくとも一部の上に選択的に配置されるように構成されるカバー；及び
前記カバーに取り付けられる接続部；を有し、
前記接続部は、磁気連結装置を使用して前記コンピュータ装置に物理的に連結されるように構成され、前記磁気連結装置は：
磁界が軸に沿って並ぶように前記接続部内に配置される第１の磁石と、
前記接続部内で互いに前記第１の磁石の両側に配置され、前記第１の磁石の前記磁界の前記軸に対して実質的に垂直である軸に沿って並んだそれぞれの磁界をそれぞれが有する第２の磁石及び第３の磁石と、を含む、
装置。
【請求項２】
前記第２の磁石及び前記第３の磁石のそれぞれの前記磁界によって、前記第１の磁石の前記磁界が、前記第２の磁石及び前記第３の磁石の前記それぞれの磁界の効果が不在の場合の前記第１の磁石の前記磁界よりも、前記接続部からさらに離れる方に広がるように、前記第２の磁石及び前記第３の磁石が前記接続部内で前記第１の磁石の前記両側に配置される、
請求項１に記載の装置。
【請求項３】
前記第２の磁石及び前記第３の磁石は、実質的に反対方向に配置される前記それぞれの磁界を有するように前記磁気連結装置内に配置される、
請求項１に記載の装置。
【請求項４】
前記第１の磁石の前記磁界の強度は、前記第２の磁石及び前記第３の磁石個々の前記ぞれぞれの磁界の強度より強い、
請求項１に記載の装置。
【請求項５】
前記磁気連結装置は、前記第１の磁石、前記第２の磁石及び前記第３の磁石と共に磁束の泉を形成する第４の磁石及び第５の磁石を含む、
請求項１に記載の装置。
【請求項６】
前記第４の磁石は、前記第１の磁石の前記磁界とは実質的に反対方向に並ぶ磁界を有し、
前記第５の磁石は、前記第２の磁石の前記磁界と実質的に合致し且つ前記第３の磁石の前記磁界と実質的に反対の磁界を有し、
前記第４の磁石は、前記磁気連結装置内で前記第３の磁石と前記第５の磁石との間に配置される、
請求項５に記載の装置。
【請求項７】
前記カバーは、前記接続部の複数の通信接点と通信可能に連結される入力部をさらに含み、前記入力部は、前記コンピュータ装置に１又は複数の入力を提供するように構成される、
請求項１に記載の装置。
【請求項８】
前記入力部は、キーボードを実現するように構成される、
請求項７に記載の装置。
【請求項９】
コンピュータ装置であって、
筐体と；
前記筐体内に配置され、１又は複数の動作を行うように少なくとも部分的にハードウェアに実装される１つ以上のモジュールと；
前記筐体に配置されるとともに入力装置と通信可能な連結を形成するように構成される１又は複数の通信接点と；
前記１又は複数の通信接点の両側で前記筐体によって支持される第１の磁気連結装置及び第２の磁気連結装置であって、前記第１の磁気連結装置及び前記第２の磁気連結装置のそれぞれは、装置への磁気的及び物理的な連結を形成するように構成され、
前記第１の磁気連結装置及び前記第２の磁気連結装置のそれぞれは：
磁界が軸に沿って並ぶように接続部内に配置される第１の磁石；及び
前記接続部内で互いに前記第１の磁石の両側に配置され、前記第１の磁石の前記磁界の前記軸に対して実質的に垂直である軸に沿って並ぶ磁界をそれぞれが有する、第２の磁石及び第３の磁石；を含む、
第１の磁気連結装置及び第２の磁気連結装置と；を有する、
コンピュータ装置。
【請求項１０】
前記第１の磁気連結装置及び前記第２の磁気連結装置は、磁束の泉を実現するように構成される、
請求項９に記載のコンピュータ装置。
【請求項１１】
前記筐体は、タブレット形態を形成するように構成される、
請求項９に記載のコンピュータ装置。
【請求項１２】
前記第１の磁気連結装置及び前記第２の磁気連結装置は、前記第１の磁石、前記第２の磁石、及び前記第３の磁石と共に磁束の泉を形成する第４の磁石及び第５の磁石を含む、
請求項９に記載のコンピュータ装置。
【請求項１３】
前記第４の磁石は、前記第１の磁石の前記磁界とは実質的に反対方向に並ぶ磁界を有し、
前記第５の磁石は、前記第２の磁石の前記磁界と実質的に合致し且つ前記第３の磁石の前記磁界と実質的に反対の磁界を有し、
前記第４の磁石は、それぞれの前記磁気連結装置内で前記第３の磁石と前記第５の磁石との間に配置される、
請求項１２に記載のコンピュータ装置。
【請求項１４】
前記第４の磁石及び前記第５の磁石は、前記第１の磁石の磁界とは実質的に反対方向に並んだ磁界を有し、
前記第２の磁石は、前記磁気連結装置内で前記第１の磁石と前記第４の磁石との間に配置され、
前記第３の磁石は、それぞれの前記磁気連結装置内で前記第１の磁石と前記第５の磁石との間に配置される、
請求項１２に記載のコンピュータ装置。
【請求項１５】
前記第２の磁石及び前記第３の磁石のそれぞれの前記磁界によって、前記第１の磁石の前記磁界が、前記第２の磁石及び前記第３の磁石の前記それぞれの磁界の効果が不在の場合の前記第１の磁石の前記磁界よりも、前記筐体からさらに離れる方に広がるように、前記第２の磁石及び前記第３の磁石が前記第１の磁石の前記両側に配置される、
請求項９に記載のコンピュータ装置。
【請求項１６】
前記第２の磁石及び前記第３の磁石は、実質的に反対方向に配置される前記それぞれの磁界を有するようにそれぞれの前記磁気連結装置内に配置される、
請求項９に記載のコンピュータ装置。
【請求項１７】
前記第１の磁石の前記磁界の強度は、前記第２の磁石及び前記第３の磁石個々の前記ぞれぞれの磁界の強度より強い、
請求項９に記載のコンピュータ装置。
【請求項１８】
コンピュータ装置であって、
筐体と；
前記筐体内に配置され、１又は複数の動作を行うように少なくとも部分的にハードウェアに実装される１つ以上のモジュールと；
前記筐体に配置されるとともに入力装置と通信可能な連結を形成するように構成される１又は複数の通信接点と；
前記筐体によって支持されるとともに、装置が前記コンピュータ装置から物理的に分離されるように構成されるように前記装置への磁気的及び取り外し可能な物理的な連結を形成するように構成される、磁気連結装置であって、前記磁気連結装置は：
磁界が軸に沿って並ぶように接続部内に配置される第１の磁石；及び
前記接続部内で互いに前記第１の磁石の両側に配置され、前記第１の磁石の前記磁界の前記軸に対して実質的に垂直である軸に沿って並ぶそれぞれの磁界をそれぞれが有する、第２の磁石及び第３の磁石；を含む、
磁気連結装置と；を有する、
コンピュータ装置。
【請求項１９】
前記第１の磁気連結装置及び前記第２の磁気連結装置は、磁束の泉を実現するように構成される、
請求項１８に記載のコンピュータ装置。
【請求項２０】
前記装置はカバーである、
請求項１８に記載のコンピュータ装置。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
個別にパターン化された異方性を有する素子を製造するための装置（３０、４０、６０、７０、９０）であり、
−  基板のための支持体（３７、４７、６４、６５、７４、７５）と、
−  第１の偏光面を有する空間変調されたアライニング光を提供する露光ユニット（１０、２０、３１、４１、６１、７１）と、を備え、
前記露光ユニットが、
−  光源（１１、２２）と、
−  空間光変調器（１２、２１）であって、電子的に制御が可能である空間光変調器と、
−  投影レンズ（１３、２３）と、
を収容する
装置。
【請求項２】
第２の偏光面を有するアライニング光を提供する手段（１４、２４、４２、６２、７２）を備える、
請求項１に記載の装置。
【請求項３】
前記ＳＬＭ露光ユニット（１０、２０、３１）が、第１の、及び、第２の偏光面を有するアライニング光を提供することができる、
請求項２に記載の装置。
【請求項４】
前記偏光面の変化が電子的に制御が可能である、
請求項３に記載の装置。
【請求項５】
偏光光を提供する追加的な光源（４２、６２、７２）を備える、
請求項１〜４のいずれか１項に記載の装置。
【請求項６】
コーティング、又は、印刷ユニット（３３、３４、４３、４４、７６、７７）を追加的に備える、
請求項１〜５のいずれか１項に記載の装置。
【請求項７】
基板を加熱する手段（３５、４５、７８、７９）を追加的に備える、
請求項１〜６のいずれか１項に記載の装置。
【請求項８】
パージユニット（８２）を追加的に備える、
請求項１〜７のいずれか１項に記載の装置。
【請求項９】
前記パターン化された異方性を有する素子を製造するための
請求項１〜８のいずれか１項に記載の装置の使用。
【請求項１０】
個別にパターン化された異方性を有する素子を高速に製造するための方法であって、
−  ＬＣＭＯ層を準備する工程と、
−  第１の偏光面を有するＳＬＭ露光ユニット（１０、２０、３１、４１、６１、７１）の空間変調されたアライニング光に前記ＬＣＭＯ層を暴露する工程と、
を含む方法。
【請求項１１】
前記ＬＣＭＯ層が、第２の偏光面を有するアライニングに追加的に暴露される、
請求項１０に記載の方法。
【請求項１２】
前記ＳＬＭ露光ユニット（６１、７１）、及び、基板（６３、７３）の投影エリアが、前記ＳＬＭ露光ユニットの前記アライニング光への前記ＬＣＭＯ層の暴露の間、互いに対して移動し、前記ＬＣＭＯ層に投射されることになるパターンが前記ＳＬＭの各ピクセルを横切ってスクロールするように前記ＳＬＭ（１）がアドレスされる、
請求項１０〜１１のいずれか１項に記載の方法。
【請求項１３】
前記ＳＬＭ露光ユニットの空間変調されたアライニング光が、前記ＬＣＭＯ層上へ斜めに入射する、
請求項１０〜１２のいずれか１項に記載の方法。
【請求項１４】
前記ＬＣＭＯ層が、斜めに入射する偏光、又は、非偏光化学線光に追加的に暴露される、
請求項１０〜１３のいずれか１項に記載の方法。
【請求項１５】
３５０nm〜４２０nmの領域内の少なくとも１つの波長が存在し、該波長に対して、前記ＬＣＭＯ層が、２００［１/cm］より大きい、より好ましくは２０００［１/cm］より大きい、最も好ましくは２００００［１/cm］より大きい、吸収係数を有する、
請求項１０〜１４のいずれか１項に記載の方法。
【請求項１６】
後続の工程で、従材料が、照射された前記ＬＣＭＯ層上に適用される、
請求項１０〜１５のいずれか１項に記載の方法。
【請求項１７】
前記従材料が、液晶ポリマー材料である、
請求項１６に記載の方法。
【請求項１８】
追加的な工程で、非重合材料が、前記従材料から除去される、
請求項１６又は１７のいずれか１項に記載の方法。
【請求項１９】
光学、及び／又は、電気−光学デバイスでの、請求項１０〜１８の方法のいずれかに従って製造された素子の使用。
【請求項２０】
光学セキュリティ素子としての、請求項９〜１８の方法のいずれかに従って製造された素子の使用。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
誘電性基板と、
電気的に接続された第１の導電性部材を有する無孔質導電性電極であって、前記誘電性基板上に配置される、無孔質導電性電極と、
電気的に接続された第２の導電性部材を有する透過導電性電極であって、４〜１０ナノメートルの範囲の厚さを有し、かつ水蒸気を透過させる、透過導電性電極と、
前記無孔質導電性電極と前記透過導電性電極との間に配置される検出層であって、
【化１】
2015518168.tif 000001
（式中、ｘ及びｙは、独立して２〜６の範囲の整数であり、それぞれのＭは、Ｈ又はアルカリ金属を独立して表す）を含む単量体単位を含むスルホン化共重合体を含む、検出層と、を備える、湿度センサ素子。
【請求項２】
入口開口部を有するセンサ室と、
静電容量を有する、請求項１に記載の湿度センサ素子であって、前記入口開口部と流体連通している前記センサ室内に配置される、湿度センサ素子と、
前記湿度センサ素子の第１及び第２の導電性リードと電気通信しており、これによって、前記湿度センサ素子が電源に接続されると、前記センサ素子の前記静電容量を測定する、操作回路と、を備える、湿度センサ。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
試験紙にもたらされた体液試料を分析するための試験メーターであって、
開口を有する外側ハウジングと、
前記外側ハウジングに隣接して配置されたアクチュエータと、  
前記アクチュエータに移動可能に接続された取出部材であって、前記取出部材は、第１の端および第２の端を有しており、前記第１の端は、自由端であり、前記第２の端は、固定端であり、前記取出部材は、前記固定端を中心として回転するように構成されている、取出部材と、
前記開口を通して分給するための複数の積層された試験紙を貯蔵するためのカートリッジであって、前記カートリッジは、前記取出部材がその中を移動可能なように構成されている直線状の通路を有し、前記カートリッジは、前記取出部材にヒンジ接続され且つ第１の位置及び第２の作動位置間を移動するとき前記取出部材を移動させるように構成されているカバー要素を備え、前記カバー要素は、前記アクチュエータに係合され、かつ前記アクチュエータが作動すると、前記第１の位置から前記第２の作動位置へ移動するようになっている、カートリッジと、
を備えており、
前記複数の積層された試験紙は、前記取出部材に向かって付勢されており、
前記アクチュエータが作動するたびに、前記取出部材が前記固定端を中心として回転し、前記複数の積層された試験紙から一枚の試験紙を前記開口を通して移動させるように、前記取出部材の前記自由端が前記直線状の通路に沿って移動し、前記複数の積層された試験紙の他の試験紙が前記取出部材に向かって付勢されるようになっている、
試験メーター。
【請求項２】
前記取出部材は、可撓性アームであり、前記アクチュエータが作動したとき、前記取出部材は、一枚の試験紙を前記複数の積層された試験紙の上を横切って前記外側ハウジングの前記開口を通るように移動させるようになっている、請求項１に記載の試験メーター。
【請求項３】
前記取出部材および前記複数の試験紙は、前記外側ハウジング内に配置されている、請求項１に記載の試験メーター。
【請求項４】
前記取出部材のみが前記外側ハウジング内に配置されており、前記カートリッジは、前記外側ハウジングに接続されている、請求項１に記載の試験メーター。
【請求項５】
前記試験メーターは、前記取り出された試験紙が前記開口内に位置している間に、前記流体試料を分析することができるようになっている、請求項１に記載の試験メーター。
【請求項６】
前記カートリッジは、前記外側ハウジングに接合された内部カートリッジハウジングをさらに備えている、請求項１に記載の試験メーター。
【請求項７】
前記直線状の通路は、前記取出部材が前記通路内において第１の位置と第２の取出位置との間で移動することを可能にする経路をもたらすように、構成され、かつ配置されている、請求項１に記載の試験メーター。
【請求項８】
前記カートリッジは、 前記取出部材を収容するための内部カートリッジハウジングであって、前記内部カートリッジハウジングは、前記複数の積層された試験紙を貯蔵するための試験紙貯蔵領域を備えており、前記試験紙の各々は、互いに真っ直ぐに並んだ縁を有している、内部カートリッジハウジングをさらに備えている、請求項１に記載の試験メーター。
【請求項９】
前記積層された試験紙の各々は、外縁を有しており、前記外縁の各々は、互いに真っ直ぐに並んでいる、請求項１に記載の試験メーター。
【請求項１０】
前記内部カートリッジハウジングと前記外側ハウジングとの間に延在するシールをさらに備えている、請求項８に記載の試験メーター。
【請求項１１】
試験紙に沈降した流体試料を試験するための方法であって、
試験メーター内に積層形態で収容された複数の試験紙の第１の試験紙を取出部材に向かって付勢するステップと、
前記第１の試験紙を前記試験メーターの開口に向かって移動させるように、かつ前記一枚の試験紙の少なくとも１つの縁が前記試験メーターの前記開口を通って押し出され、前記試験紙の対向端が前記試験メーター内に残るように、前記取出部材を前記取出部材の固定端を中心として回転させて、前記複数の積層された試験紙を貯蔵するためのカートリッジの直線状の通路に沿って、前記取出部材の自由端を移動させる、ステップと、
前記試験紙の前記露出した部分に前記流体試料をもたらすステップと、
前記一枚の試験紙の対向端が残っている間に前記流体試料を分析するステップと、
前記第１の試験紙が押し出された時点で、前記複数の試験紙の第２の試験紙を前記取出部材に向かって付勢するステップと、
を含んでいる、方法。
【請求項１２】
前記方法は、前記取出部材を前記試験紙に接触させて配置するステップをさらに含んでいる、請求項１１に記載の方法。
【請求項１３】
前記取出部材を回転させる前記ステップは、前記取出部材の前記自由端が前記試験紙を移動させることを可能にすることをさらに含んでいる、請求項１２に記載の方法。
【請求項１４】
前記取出部材を回転させる前記ステップは、可撓性アームを第１の位置と第２の位置との間で移動させることをさらに含んでいる、請求項１１に記載の方法。
【請求項１５】
試験メーター内に複数の積層された試験紙を貯蔵するためのカートリッジであって、
外側ケーシングと、
前記外側ケーシングに取外し可能に接合されたカバー要素であって、前記カバー要素は、前記カバー要素の少なくとも一部が前記外側ケーシングに隣接している第１の軸位置と、前記カバー要素の前記少なくとも一部が前記外側ケーシングと離間している第２の軸位置との間で、軸の長さに沿って移動するように構成されている、カバー要素と、
前記外側ケーシング内に着座した取出アセンブリであって、
前記複数の積層された試験紙を貯蔵するための試験紙貯蔵領域であって、前記試験紙の各々は、互いに真っ直ぐに並んだ対向縁を有している、試験紙貯蔵領域と、
取出部材であって、前記カバー要素に移動可能に接続されており、かつ第１の静止位置と第２の取出位置との間で回転するように構成されており、前記取出部材は、前記複数の試験紙の単一試験紙に接触している第１の端と、第２の固定端とを有し、前記固定端を中心として回転するように構成されている、取出部材と、
前記自由端がその中を移動可能なように構成されている直線状の通路と、
をさらに備えている取出アセンブリと、
を備えており、
前記複数の積層された試験紙は、前記取出部材に向かって付勢されており、
前記カバー要素が前記取出アセンブリから離れる方に移動したとき、前記取出部材は前記固定端を中心として回転し、前記取出部材の前記自由端は前記直線状の通路内を移動し、前記一枚の試験紙を前記開口を通って移動させるようになっている、
カートリッジ。
【請求項１６】
前記取出部材は、細長部材である、請求項１５に記載のカートリッジ。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
交換可能なセンサーカートリッジであって、
フレームであって、前記フレーム内の湿度を低減させることができる乾燥材料を有しており、複数のバイオセンサーを収容するように構成されている、フレームと、
前記複数のバイオセンサーから最上バイオセンサーを展開する前進ストロークおよびその元の位置に戻る逆ストロークにおいて、前記フレームの最上部分に沿って摺動するように構成され、かつ配置された帯片ピッカーと、
を備えており、
前記帯片ピッカーは、前記フレームの前記最上部分に沿ってラチェット作用をもたらすための柔軟爪を備え、
前記センサーカートリッジは、少なくとも一つのアンチジャミング特徴部を備えていることを特徴とする交換可能なセンサーカートリッジ。
【請求項２】
前記フレームは、複数のラチェット歯および平行平滑トラックを備えており、前記フレームは、前記帯片ピッカーの前記柔軟爪と連携して、前記ラチェット歯に沿った前進ストロークおよび平滑面に沿った逆ストロークを可能にするように構成されていることを特徴とする、請求項１に記載の交換可能なセンサーカートリッジ。
【請求項３】
前記アンチジャミング特徴部は、前記センサーカートリッジ上の偏向部分を含んでいることを特徴とする、請求項１に記載の交換可能なセンサーカートリッジ。
【請求項４】
前記アンチジャミング特徴部は、少なくとも一つのフィードバック特徴部を含んでいることを特徴とする、請求項１に記載の交換可能なセンサーカートリッジ。
【請求項５】
前記少なくとも一つのフィードバック特徴部は、前記帯片ピッカーが前記前進ストロークまたは逆ストロークの端にあるとき、触覚フィードバックをもたらすように構成されていることを特徴とする、請求項４に記載の交換可能なセンサーカートリッジ。
【請求項６】
前記少なくとも一つのフィードバック特徴部は、前記フレーム上に配置された凹みを含んでいることを特徴とする、請求項４に記載の交換可能なセンサーカートリッジ。
【請求項７】
前記フレームの最上部を覆うための蓋をさらに備えており、
前記蓋は、長手方向に延在する隆起および前記帯片ピッカーを受け入れるための空洞を有していることを特徴とする、請求項１に記載の交換可能なセンサーカートリッジ。
【請求項８】
前記蓋は、前記帯片ピッカーが前記フレームの端にあるときにのみ閉鎖するように構成されていることを特徴とする、請求項７に記載の交換可能なセンサーカートリッジ。
【請求項９】
前記蓋は、汚染されたバイオセンサーを受け入れるための廃棄区画と、前記汚染されたバイオセンサーを前記廃棄区画に挿入するための廃棄長孔とを画定していることを特徴とする、請求項７に記載の交換可能なセンサーカートリッジ。
【請求項１０】
前記アンチジャミング特徴部は、後退バネを含んでおり、
前記後退バネは、前記帯片ピッカーに連結されており、前記帯片ピッカーを元の位置に戻すように構成されていることを特徴とする、請求項１に記載の交換可能なセンサーカートリッジ。
【請求項１１】
前記後退バネは、一定力バネであることを特徴とする、請求項１０に記載の交換可能なセンサーカートリッジ。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
出力通路を有する基部上に配置された放出機構と、
前記放出機構から前記出力通路を介して液体媒質の液滴を放出させるために充分な力で前記放出機構に打撃を与えるように構成された打撃機構と、
を備える、微小流体デバイス。
【請求項２】
前記基部上に配置された可撓性構造と、
前記可撓性構造と前記基部との間に配置された前記媒質の貯留部と、
を更に備え、
前記貯留部が、前記出力通路に流体接続されている、
請求項１に記載のデバイス。
【請求項３】
前記放出機構の外で、前記媒質内の複数の微小物体の所望の数を選択するように構成された処理機構を更に備える、請求項１に記載のデバイス。
【請求項４】
前記処理機構が、前記選択した微小物体を前記放出機構内に移動させるように更に構成されている、請求項３に記載のデバイス。
【請求項５】
前記処理機構が、前記基部上に配置された光導電性材料を備える、請求項３又は４に記載のデバイス。
【請求項６】
前記処理機構が、光電子ピンセットの構成を備える、請求項３に記載のデバイス。
【請求項７】
前記処理機構が、前記基部上に配置されている、請求項３に記載のデバイス。
【請求項８】
前記放出機構への第１のチャネルと、
前記放出機構からの第２のチャネルと、
を更に備える、請求項１に記載のデバイス。
【請求項９】
前記放出機構が、
ノズルと、
前記媒質の貯留部と、
孔を有し、前記ノズルと前記貯留部との間に配置されたバリアであって、前記孔が前記微小物体よりも小さい、バリアと、
を備える、請求項８に記載のデバイス。
【請求項１０】
前記第１のチャネルが、前記放出機構への入口に直接隣接して幅が広がり、
前記第２のチャネルが、前記放出機構からの出口に直接隣接して幅が狭くなる、
請求項８に記載のデバイス。
【請求項１１】
前記放出機構の外側の位置で、前記第１のチャネルにおける前記媒質の流れ内の前記微小物体を検出し、その後、前記微小物体が前記放出機構内に流れた後で前記放出機構に打撃を与えるように、前記打撃機構をトリガするように構成されたセンサを更に備える、請求項８に記載のデバイス。
【請求項１２】
前記打撃機構が、
前記放出機構に打撃を与えるように配置されたばね、及び前記ばねを曲げて、その後で解放するように構成されたアクチュエータ、
又は
前記放出機構の少なくとも部分的に可撓性の構造に打撃を与えて変形させるように構成されたハンマー、及び打撃のために前記ハンマーを動かすように構成されたアクチュエータ
を備える、請求項１に記載のデバイス。
【請求項１３】
前記基部における前記出力通路が、前記基部に出口開口を備え、
前記貯留部の側壁が、前記基部の第１の表面における開口から前記出口開口まで傾斜し、
前記第１の表面における前記開口が、前記出口開口よりも大きい、
請求項２に記載のデバイス。
【請求項１４】
前記貯留部が、前記出力通路から横方向に離間し、
当該デバイスが、前記貯留部から前記出力通路までの流体供給部を更に備える、
請求項２に記載のデバイス。
【請求項１５】
液体媒質の液滴内の微小物体を放出するプロセスであって、
液体媒質内の微小物体を、請求項１から１４のいずれか１項に記載の微小流体デバイスの放出機構に移動させることと、
前記出力通路を介して前記液滴を放出させるために充分な力で前記放出機構に打撃を与えることによって、出力通路を介して前記媒質の液滴内の前記微小物体を放出することと、
を備える、プロセス。
【請求項１６】
前記移動させることの前に、前記放出機構の外で、前記液体媒質内の複数の微小物体から前記微小物体を選択することを更に備える、請求項１５に記載のプロセス。
【請求項１７】
前記選択することが、誘電泳動を利用して前記選択した微小物体を閉じ込めることを備える、請求項１５に記載のプロセス。
【請求項１８】
前記移動させることが、第１のチャネルから前記放出機構内に入ると共に第２のチャネルを介して前記放出機構から出る前記媒質の流れを生成することを備える、請求項１５に記載のプロセス。
【請求項１９】
前記移動させることが、前記出力通路に隣接するバリアにおいて前記微小物体を閉じ込めることを更に備える、請求項１８に記載のプロセス。
【請求項２０】
前記流れ内の前記微小物体の位置を検知することを更に備え、
前記検知することが、前記流れの速度に従って、前記微小物体の前記放出機構への到着に合わせて、前記微小物体を出力するように前記放出機構をトリガすることを備える、
請求項１８に記載のプロセス。
【請求項２１】
前記放出することが、重力に逆らって上方向に前記液滴を放出する、請求項１５に記載のプロセス。